Podtech/llm-jp-corpus-v4-ja_patent huggingface dataset:
【手続補正書】
【提出日】令和1年7月18日(2019.7.18)
【手続補正１】
【補正対象書類名】特許請求の範囲
【補正対象項目名】全文
【補正方法】変更
【補正の内容】
【特許請求の範囲】
【請求項１】
設定値に応じた制御を実行可能な遊技機であって、
設定値を変更可能な設定変更許可状態に制御可能な設定変更制御手段と、
設定値を確認可能な設定確認状態に制御可能な設定確認制御手段と、
前記設定変更許可状態の制御の開始に対応して特定信号を出力可能であり、前記設定確認状態の制御の開始に対応して前記特定信号を出力可能な特定信号出力手段と、
前記特定信号が出力される期間に関する値を設定する出力期間設定手段と、を備え、
前記出力期間設定手段は、前記設定変更許可状態に制御される場合と前記設定確認状態に制御される場合とで所定値を共通に設定可能であり、
前記特定信号出力手段は、前記設定変更許可状態及び前記設定確認状態の何れかの制御の終了に対応して、少なくとも前記所定値に対応した期間が経過するまで前記特定信号を出力する
ことを特徴とする遊技機。
【手続補正２】
【補正対象書類名】明細書
【補正対象項目名】０００２
【補正方法】変更
【補正の内容】
【０００２】
特許文献１に示すように、複数段階の設定値を外部からの設定変更操作に基づいて変更する設定変更手段を備える遊技機が提案されている。また、特許文献２に示すように、主制御基板の外部出力端子から、「大当たり信号」等が出力される遊技機が提案されている。
【手続補正３】
【補正対象書類名】明細書
【補正対象項目名】０００３
【補正方法】変更
【補正の内容】
【０００３】
【特許文献１】特開２０１０−２００９０２号公報（段落０００７）
【特許文献２】特開２０１４−２００５０６号公報（段落０１０２）
【手続補正４】
【補正対象書類名】明細書
【補正対象項目名】０００４
【補正方法】変更
【補正の内容】
【０００４】
特許文献１に記載されたような遊技機に関しては、設定値の変更等の際に、設定に関連する制御状態を外部装置側で把握することが必要となる場合があるが、特許文献２に記載されている従来の遊技機の信号出力技術を適用しても、外部装置側でこれを把握することが困難であるという課題がある。
【手続補正５】
【補正対象書類名】明細書
【補正対象項目名】０００５
【補正方法】変更
【補正の内容】
【０００５】
この発明は、上記の実状に鑑みてなされたものであり、設定に関連する制御状態を遊技機外部に適切に通知可能な遊技機を提供することを目的とする。
【手続補正６】
【補正対象書類名】明細書
【補正対象項目名】０００６
【補正方法】変更
【補正の内容】
【０００６】
上記目的を達成するため、本願発明に係る遊技機は、
設定値（大当り判定用乱数の範囲が異なる設定値０〜５の６段階）に応じた制御（特別図柄プロセス処理における大当り判定処理等）を実行可能な遊技機（パチンコ遊技機１）であって、
設定値を変更可能な設定変更許可状態に制御可能な設定変更制御手段（ステップＳ２１ＴＭ４５３０〜ステップＳ２１ＴＭ４６２０を実行可能な遊技制御用マイクロコンピュータ１００）と、
設定値を確認可能な設定確認状態に制御可能な設定確認制御手段（ステップＳ２１ＴＭ４５３０〜ステップＳ２１ＴＭ４５７０及びステップＳ２１ＴＭ４６５０を実行可能な遊技制御用マイクロコンピュータ１００）と、
前記設定変更許可状態の制御の開始に対応して特定信号を出力可能であり、前記設定確認状態の制御の開始に対応して前記特定信号を出力可能な特定信号出力手段（ステップＳ２１ＴＭ４５６０でセキュリティ信号を出力する遊技制御用マイクロコンピュータ１００）と、
前記特定信号が出力される期間に関する値（セキュリティ信号タイマの値）を設定する出力期間設定手段（セキュリティ信号タイマの値をセットする遊技制御用マイクロコンピュータ１００）と、を備え、
前記出力期間設定手段は、前記設定変更許可状態に制御される場合と前記設定確認状態に制御される場合とで所定値を共通に設定可能であり（ステップＳ２１ＴＭ４７１０でセキュリティ信号タイマの値として１秒を設定し）、
前記特定信号出力手段は、前記設定変更許可状態及び前記設定確認状態の何れかの制御の終了に対応して、少なくとも前記所定値に対応した期間が経過するまで前記特定信号を出力する（設定確認モードの終了に伴い設定確認モードの終了から１秒が経過するまでセキュリティ信号を継続して出力し、設定変更モードの終了に伴い設定変更モードの終了から３０秒が経過するまでセキュリティ信号を継続して出力する）
ことを特徴とする。
これによれば、設定に関連する遊技機の状態を外部装置に適切に通知できる。
【手続補正７】
【補正対象書類名】明細書
【補正対象項目名】０００７
【補正方法】変更
【補正の内容】
【０００７】
（１）本願の他の発明の遊技機は、
遊技者にとって有利な有利状態（例えば大当り遊技状態）に制御可能な遊技機（例えばパチンコ遊技機１）であって、
前記有利状態に制御されることを示唆する示唆演出（例えばリーチ演出）を実行可能な示唆演出実行手段（例えば演出制御用ＣＰＵ１２０）と、
前記示唆演出に対応したタイトルを報知可能なタイトル報知手段（例えば演出制御用ＣＰＵ１２０）と、を備え、
前記タイトル報知手段は、前記示唆演出の開始から所定期間経過したときに当該示唆演出に対応したタイトルを報知可能である（例えば図８−２（Ｄ）、（Ｆ））。
このような構成によれば、演出効果を高めることができる。
（２）上記（１）の遊技機において、
前記示唆演出実行手段は、複数種類の前記示唆演出を実行可能であって、
複数種類の前記示唆演出において、前記所定期間内の演出の少なくとも一部は共通の態様で実行可能であるようにしてもよい（例えば図８−２（Ｃ））。
このような構成によれば、いずれの示唆演出が実行されるかに注目させることができ、興趣が向上する。
【手続補正書】
【提出日】令和1年8月1日(2019.8.1)
【手続補正１】
【補正対象書類名】特許請求の範囲
【補正対象項目名】全文
【補正方法】変更
【補正の内容】
【特許請求の範囲】
【請求項１】
発光部を備えた遊技機であって、
前記発光部を用いた発光演出を実行可能な発光演出手段をさらに備え、
前記発光演出手段は、特定色を点滅させた発光態様により前記発光部を発光させる第１特定パターンと、前記特定色を含む複数色のうちのいずれかの色から他の色に変化させる発光態様により前記発光部を発光させる第２特定パターンと、により前記発光演出を実行可能であり、
前記第１特定パターンと前記第２特定パターンとでは、遊技者にとっての期待度が異なり、かつ前記特定色の発光周期が異なり、
前記発光演出手段は、第１の特定色を点滅させた発光態様により前記発光部を発光させる第１段階と、該第１段階の後に第２の特定色を点滅させた発光態様により前記発光部を発光させる第２段階と、を含む前記第１特定パターンによる前記発光演出を実行可能であり、前記第２段階に対応する期間の終了後に、前記第２特定パターンによる前記発光演出を実行可能である、
ことを特徴とする遊技機。
【手続補正２】
【補正対象書類名】明細書
【補正対象項目名】００１０
【補正方法】変更
【補正の内容】
【００１０】
手段１に係る発明は、
発光部（ＬＥＤ９：左枠ＬＥＤ９ｂ、天枠ＬＥＤ９ａ、右枠ＬＥＤ９ｃ、役物ＬＥＤ、盤面ＬＥＤ、導光板、セグ表示器、ドット表示器等）を備えた遊技機（パチンコ遊技機1等）であって、
前記発光部を用いた発光演出を実行可能な発光演出手段（演出制御基板１２：演出制御用ＣＰＵ１２０等）をさらに備え、
前記発光演出手段は、特定色（単色：青色、緑色、赤色等）を点滅させた発光態様により前記発光部を発光させる第１特定パターン（図７２の発光パターンテーブル１２１１：カテゴリ：ＬＰ１１〜ＬＰ１３：発光パターンＬＰ１１−１、ＬＰ１２−１、ＬＰ１３−１等）と、前記特定色を含む複数色のうちのいずれかの色から他の色に変化させる発光態様により前記発光部を発光させる第２特定パターン（図７２の発光パターンテーブル１２１１：カテゴリＬＰ１４：発光パターンＬＰ１４−１等）と、により前記発光演出を実行可能であり、
前記第１特定パターンと前記第２特定パターンとでは、遊技者にとっての期待度（大当り信頼度等）が異なり、かつ前記特定色の発光周期が異なり（図７４：切替単位発光時間Δｔｎは点滅単位発光時間Δｔｏ１〜Δｔｏ３よりも短い等）、
前記発光演出手段は、第１の特定色（単色：青色等）を点滅させた発光態様により前記発光部を発光させる第１段階と、該第１段階の後に第２の特定色（単色：緑色、赤色等）を点滅させた発光態様により前記発光部を発光させる第２段階と、を含む前記第１特定パターンによる前記発光演出を実行可能であり、前記第２段階に対応する期間の終了後に、前記第２特定パターンによる前記発光演出を実行可能である（図８０：単色：青色等→単色：緑色、赤色等→虹色等）、
ことを特徴とする遊技機である。
これによれば、第１特定パターンと第２特定パターンとで、遊技者にとっての期待度を異ならせ、かつ特定色の発光周期を異ならせることで、発光演出の演出効果を高め、遊技興趣を向上させることができる。
【手続補正書】
【提出日】令和1年7月25日(2019.7.25)
【手続補正１】
【補正対象書類名】特許請求の範囲
【補正対象項目名】全文
【補正方法】変更
【補正の内容】
【特許請求の範囲】
【請求項１】
発光部を備えた遊技機であって、
前記発光部を用いた発光演出を実行可能な発光演出手段と、遊技者にとって有利な有利状態の当否の報知に対応する特定演出を実行可能な特定演出実行手段と、をさらに備え、
前記発光演出手段は、特定色を点滅させた発光態様により前記発光部を発光させる第１特定パターンと、前記特定色を含む複数色のうちのいずれかの色から他の色に変化させる発光態様により前記発光部を発光させる第２特定パターンとにより前記発光演出を実行可能であり、前記特定演出実行手段による前記特定演出の実行中に、遊技者の所定動作に基づいて前記発光演出を実行可能であり、
前記第１特定パターンと前記第２特定パターンは、遊技者にとっての期待度が異なり、かつ前記特定色の発光周期が異なる、
ことを特徴とする遊技機。
【手続補正２】
【補正対象書類名】明細書
【補正対象項目名】００１０
【補正方法】変更
【補正の内容】
【００１０】
手段Ａに係る発明は、
発光部を備えた遊技機であって、
前記発光部を用いた発光演出を実行可能な発光演出手段と、遊技者にとって有利な有利状態の当否の報知に対応する特定演出を実行可能な特定演出実行手段と、をさらに備え、
前記発光演出手段は、特定色を点滅させた発光態様により前記発光部を発光させる第１特定パターンと、前記特定色を含む複数色のうちのいずれかの色から他の色に変化させる発光態様により前記発光部を発光させる第２特定パターンとにより前記発光演出を実行可能であり、前記特定演出実行手段による前記特定演出の実行中に、遊技者の所定動作に基づいて前記発光演出を実行可能であり、
前記第１特定パターンと前記第２特定パターンは、遊技者にとっての期待度が異なり、かつ前記特定色の発光周期が異なる、
ことを特徴とする遊技機である。
手段１に係る発明は、
発光部（ＬＥＤ９：左枠ＬＥＤ９ｂ、天枠ＬＥＤ９ａ、右枠ＬＥＤ９ｃ、役物ＬＥＤ、盤面ＬＥＤ、導光板、セグ表示器、ドット表示器等）を備えた遊技機（パチンコ遊技機1等）であって、
前記発光部を用いた発光演出を実行可能な発光演出手段（演出制御基板１２：演出制御用ＣＰＵ１２０等）をさらに備え、
前記発光演出手段は、特定色（単色：青色、緑色、赤色等）を点滅させた発光態様により前記発光部を発光させる第１特定パターン（図７２の発光パターンテーブル１２１１：カテゴリ：ＬＰ１１〜ＬＰ１３：発光パターンＬＰ１１−１、ＬＰ１２−１、ＬＰ１３−１等）と、前記特定色を含む複数色のうちのいずれかの色から他の色に変化させる発光態様により前記発光部を発光させる第２特定パターン（図７２の発光パターンテーブル１２１１：カテゴリＬＰ１４：発光パターンＬＰ１４−１等）とにより前記発光演出を実行可能であり、
前記第１特定パターンと前記第２特定パターンとでは、遊技者にとっての期待度（大当り信頼度等）が異なり、かつ前記特定色の発光周期が異なる（図７４：切替単位発光時間Δｔｎは点滅単位発光時間Δｔｏ１〜Δｔｏ３よりも短い等）、
ことを特徴とする遊技機である。
これによれば、第１特定パターンと第２特定パターンとで、遊技者にとっての期待度を異ならせ、かつ特定色の発光周期を異ならせることで、発光演出の演出効果を高め、遊技興趣を向上させることができる。
【手続補正書】
【提出日】令和1年7月4日(2019.7.4)
【手続補正１】
【補正対象書類名】特許請求の範囲
【補正対象項目名】全文
【補正方法】変更
【補正の内容】
【特許請求の範囲】
【請求項１】
撮像装置であって、
画像を撮像する撮像手段と、
前記画像に対して前記撮像装置が重畳可能な重畳情報に関する選択肢を示す情報の取得要求を、外部装置から受信する受信手段と、
前記受信手段により、前記選択肢を示す情報の取得要求を受信すると、前記撮像装置の前記選択肢を示す情報を送信する送信手段と
を有することを特徴とする撮像装置。
【請求項２】
前記選択肢を示す情報は、前記画像に対して前記撮像装置が前記重畳情報を重畳可能な前記画像上の位置の中から、前記重畳情報を重畳する位置を選択するための情報を含むことを特徴とする請求項１に記載の撮像装置。
【請求項３】
前記画像上の位置とは、ＵＰＰＥＲ＿ＬＥＦＴ、ＵＰＰＥＲ＿ＲＩＧＨＴ、ＬＯＷＥＲ＿ＬＥＦＴ、ＬＯＷＥＲ＿ＲＩＧＨＴであることを特徴とする請求項２に記載の撮像装置。
【請求項４】
前記選択肢を示す情報は、前記画像に対して前記撮像装置が重畳可能なテキストに関する選択肢を示す情報を含むことを特徴とする請求項１乃至３のいずれか１項に記載の撮像装置。
【請求項５】
前記選択肢には、前記テキストの色、サイズ、透明度に関する選択肢を含むことを特徴とする請求項４に記載の撮像装置。
【請求項６】
前記選択肢を示す情報は、前記画像に対して前記撮像装置が重畳可能な重畳情報のタイプの中から、前記画像に対して重畳する前記重畳情報のタイプを選択するための選択肢を示す情報を含むことを特徴とする請求項１乃至５のいずれか１項に記載の撮像装置。
【請求項７】
前記選択肢には、前記重畳情報のタイプの選択肢として、テキスト、画像を含むことを特徴とする請求項６に記載の撮像装置。
【請求項８】
前記選択肢を示す情報は、前記画像に対して前記撮像装置が重畳可能なテキストの背景に関する選択肢を示す情報を含むことを特徴とする請求項１乃至７のいずれか１項に記載の撮像装置。
【請求項９】
前記選択肢には、前記背景の色に関する選択肢を含むことを特徴とする請求項８に記載の撮像装置。
【請求項１０】
撮像装置により出力された画像を表示する画像処理装置であって、
前記画像に対して前記撮像装置が重畳可能な重畳情報に関する選択肢を示す情報の取得要求を、前記撮像装置に送信する送信手段と、
前記撮像装置の前記選択肢を示す情報を、前記撮像装置から受信する受信手段と、
前記受信手段により受信した前記選択肢を示す情報に基づいて、前記重畳情報に関するパラメータを選択させるためのユーザインターフェースを表示させる表示制御手段と
を有し、
前記送信手段は、前記ユーザインターフェースにより選択されたパラメータを前記撮像装置に送信する
ことを特徴とする画像処理装置。
【請求項１１】
前記選択肢を示す情報は、前記画像に対して前記撮像装置が前記重畳情報を重畳可能な前記画像上の位置の中から、前記重畳情報を重畳する位置を選択するための情報を含むことを特徴とする請求項１０に記載の画像処理装置。
【請求項１２】
前記画像上の位置とは、ＵＰＰＥＲ＿ＬＥＦＴ、ＵＰＰＥＲ＿ＲＩＧＨＴ、ＬＯＷＥＲ＿ＬＥＦＴ、ＬＯＷＥＲ＿ＲＩＧＨＴであることを特徴とする請求項１１に記載の画像処理装置。
【請求項１３】
前記選択肢を示す情報は、前記画像に対して前記撮像装置が重畳可能なテキストに関する選択肢を示す情報を含むことを特徴とする請求項１０乃至１２のいずれか１項に記載の画像処理装置。
【請求項１４】
前記選択肢には、前記テキストの色、サイズ、透明度に関する選択肢を含むことを特徴とする請求項１３に記載の画像処理装置。
【請求項１５】
前記選択肢を示す情報は、前記画像に対して前記撮像装置が重畳可能な前記重畳情報のタイプの中から、前記画像に対して重畳する前記重畳情報のタイプを選択するための選択肢を示す情報を含むことを特徴とする請求項１０乃至１４のいずれか１項に記載の画像処理装置。
【請求項１６】
前記選択肢には、前記重畳情報のタイプの選択肢として、テキスト、画像を含むことを特徴とする請求項１５に記載の画像処理装置。
【請求項１７】
前記選択肢を示す情報は、前記画像に対して前記撮像装置が重畳可能なテキストの背景に関する選択肢を示す情報を含むことを特徴とする請求項１０乃至１６のいずれか１項に記載の画像処理装置。
【請求項１８】
前記選択肢には、前記背景の色に関する選択肢を含むことを特徴とする請求項１７に記載の画像処理装置。
【請求項１９】
撮像装置の制御方法であって、
画像を撮像する撮像工程と、
前記画像に対して前記撮像装置が重畳可能な重畳情報に関する選択肢を示す情報の取得要求を、外部装置から受信する受信工程と、
前記受信工程で、前記選択肢を示す情報の取得要求を受信すると、前記撮像装置の前記選択肢を示す情報を送信する送信工程と
を有することを特徴とする撮像装置の制御方法。
【請求項２０】
コンピュータを請求項１乃至９のいずれか１項に記載の撮像装置の各手段として機能させるためのプログラム。
【請求項２１】
撮像装置により出力された画像を表示する画像処理装置の制御方法であって、
前記画像に対して前記撮像装置が重畳可能な重畳情報に関する選択肢を示す情報の取得要求を、前記撮像装置に送信する送信工程と、
前記撮像装置の前記選択肢を示す情報を、前記撮像装置から受信する受信工程と、
前記受信工程で受信した前記選択肢を示す情報に基づいて、前記重畳情報に関するパラメータを選択させるためのユーザインターフェースを表示させる表示制御工程と
を有し、
前記送信工程では、前記ユーザインターフェースにより選択されたパラメータを前記撮像装置に送信する
ことを特徴とする画像処理装置の制御方法。
【請求項２２】
コンピュータを請求項１０乃至１８のいずれか１項に記載の画像処理装置の各手段として機能させるためのプログラム。
【手続補正２】
【補正対象書類名】明細書
【補正対象項目名】０００９
【補正方法】変更
【補正の内容】
【０００９】
上記課題を解決するために、本発明による撮像装置は、撮像装置であって、画像を撮像する撮像手段と、前記画像に対して前記撮像装置が重畳可能な重畳情報に関する選択肢を示す情報の取得要求を、外部装置から受信する受信手段と、前記受信手段により、前記選択肢を示す情報の取得要求を受信すると、前記撮像装置の前記選択肢を示す情報を送信する送信手段とを有することを特徴とする。また、上記課題を解決するために、本発明による画像処理装置は、撮像装置により出力された画像を表示する画像処理装置であって、前記画像に対して前記撮像装置が重畳可能な重畳情報に関する選択肢を示す情報の取得要求を、前記撮像装置に送信する送信手段と、前記撮像装置の前記選択肢を示す情報を、前記撮像装置から受信する受信手段と、前記受信手段により受信した前記選択肢を示す情報に基づいて、前記重畳情報に関するパラメータを選択させるためのユーザインターフェースを表示させる表示制御手段とを有し、前記送信手段は、前記ユーザインターフェースにより選択されたパラメータを前記撮像装置に送信することを特徴とする。
【手続補正３】
【補正対象書類名】明細書
【補正対象項目名】００１０
【補正方法】変更
【補正の内容】
【００１０】
本発明によれば、画像に対して撮像装置が重畳可能な重畳情報の選択肢を外部装置に通知することが可能になる効果がある。
【手続補正書】
【提出日】令和1年7月16日(2019.7.16)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
設定操作にもとづいて複数段階の設定値のうちのいずれかの設定値に設定可能な設定手段と、
設定されている設定値にもとづいて前記有利状態に関する制御を実行可能な有利状態制御手段と、
遊技者の動作を検出可能な動作検出手段と、
特定演出を実行可能な特定演出実行手段と、
設定された設定値を示唆する示唆演出を実行可能な示唆演出実行手段と、を備え、
前記特定演出実行手段は、前記動作検出手段によって遊技者の動作が複数回検出されることに応じて、段階的に前記特定演出の演出態様を変化させることが可能であり、
前記示唆演出実行手段は、前記特定演出の演出態様の変化に対応して、前記示唆演出の態様を変化可能である
ことを特徴とする遊技機。
【手続補正２】
【補正対象書類名】明細書
【補正対象項目名】０００２
【補正方法】変更
【補正の内容】
【０００２】
設定操作にもとづいて複数段階の設定値のうちのいずれかの設定値に設定可能に構成され、設定されている設定値にもとづいて有利状態の制御を実行可能に構成されたパチンコ遊技機として、例えば、特許文献１に記載されたものがある。特許文献１には、設定値にもとづく演出の表示制御を行い、キリン、ゾウ、ライオンの各キャラクタ画像を表示させる処理を所定のタイミングで実行することが記載されている。また、所定のタイミングとは、例えば特別図柄の変動時などが考えられるが、さらに定期的（全変動時、所定変動回数ごとなど）でもよいし、不定期（乱数抽選で当選した場合など）であってもよいことが記載されている。
【手続補正３】
【補正対象書類名】明細書
【補正対象項目名】０００３
【補正方法】変更
【補正の内容】
【０００３】
【特許文献１】特開２０１０−２００９０２号公報
【手続補正４】
【補正対象書類名】明細書
【補正対象項目名】０００４
【補正方法】変更
【補正の内容】
【０００４】
特許文献１に記載されたような、設定されている設定値にもとづいて有利状態の制御を実行可能に構成した遊技機において、演出効果を高めることが望まれる。
【手続補正５】
【補正対象書類名】明細書
【補正対象項目名】０００５
【補正方法】変更
【補正の内容】
【０００５】
この発明は、上記の実状に鑑みてなされたものであり、設定されている設定値にもとづいて有利状態の制御を実行可能に構成した遊技機において、演出効果を高めた遊技機を提供することを目的とする。
【手続補正６】
【補正対象書類名】明細書
【補正対象項目名】０００６
【補正方法】変更
【補正の内容】
【０００６】
（Ａ）上記目的を達成するため、本願発明に係る遊技機は、
遊技者にとって有利な有利状態に制御可能な遊技機であって、
設定操作にもとづいて複数段階の設定値のうちのいずれかの設定値に設定可能な設定手段と、
設定されている設定値にもとづいて前記有利状態に関する制御を実行可能な有利状態制御手段と、
遊技者の動作を検出可能な動作検出手段と、
特定演出を実行可能な特定演出実行手段と、
設定された設定値を示唆する示唆演出を実行可能な示唆演出実行手段と、を備え、
前記特定演出実行手段は、前記動作検出手段によって遊技者の動作が複数回検出されることに応じて、段階的に前記特定演出の演出態様を変化させることが可能であり、
前記示唆演出実行手段は、前記特定演出の演出態様の変化に対応して、前記示唆演出の態様を変化可能である。
このような構成によれば、設定されている設定値にもとづいて有利状態の制御を実行可能に構成した遊技機において、演出効果を高めることができる。
また、従来の遊技機として、特開２０１６−１０１４２８号公報で示されているような、リーチ演出の開始時に、リーチ演出の種類を報知するタイトル表示を行う遊技機がある。このような遊技機において、さらに演出効果を高めることが望まれている。
（１）上記目的を達成するため、他の態様に係る遊技機は、
遊技者にとって有利な有利状態（例えば大当り遊技状態）に制御可能な遊技機（例えばパチンコ遊技機１）であって、
前記有利状態に制御されることを示唆する示唆演出（例えばリーチ演出）を実行可能な示唆演出実行手段（例えば演出制御用ＣＰＵ１２０）と、
前記示唆演出に対応したタイトルを報知可能なタイトル報知手段（例えば演出制御用ＣＰＵ１２０）と、を備え、
前記タイトル報知手段は、前記示唆演出の開始から所定期間経過したときに当該示唆演出に対応したタイトルを報知可能である（例えば図９（Ｄ）、（Ｆ））。
このような構成によれば、演出効果を高めることができる。
【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
可変表示を実行し、第１表示領域および第２表示領域を含む表示領域において可変表示の表示結果を導出表示可能な可変表示実行手段と、
可変表示の表示結果として特定表示結果が導出表示されたときに遊技者にとって有利な有利状態に制御可能な有利状態制御手段と、を備え、
前記第２表示領域において特定表示結果が導出表示されて前記有利状態に制御される場合は、前記第１表示領域において前記特定表示結果が導出表示されて前記有利状態に制御される場合よりも、有利度合いが高い、
ことを特徴とする、遊技機。
【手続補正２】
【補正対象書類名】明細書
【補正対象項目名】００１１
【補正方法】変更
【補正の内容】
【００１１】
（手段Ａ）本発明による遊技機は、遊技を行うことが可能な遊技機であって、可変表示を実行し、第１表示領域および第２表示領域を含む表示領域において可変表示の表示結果を導出表示可能な可変表示実行手段と、可変表示の表示結果として特定表示結果が導出表示されたときに遊技者にとって有利な有利状態に制御可能な有利状態制御手段と、を備え、第２表示領域において特定表示結果が導出表示されて有利状態に制御される場合は、第１表示領域において特定表示結果が導出表示されて有利状態に制御される場合よりも、有利度合いが高い、
ことを特徴とする。
（手段１）また、他の遊技機として、遊技を行うことが可能な遊技機であって、可変表示を実行し、第１表示領域（例えば、図９−２（Ａ）に示す分割領域全体）および第２表示領域（例えば、図９−２（Ｂ）に示す分割領域内の端部領域）を含む表示領域において可変表示の表示結果を導出表示可能な可変表示実行手段（例えば、演出制御用ＣＰＵ１２０におけるステップ１７１〜Ｓ１７３を実行する部分）と、可変表示の表示結果として特定表示結果（例えば、大当り図柄）が導出表示されたときに遊技者にとって有利な有利状態（例えば、大当り遊技状態）に制御可能な有利状態制御手段（例えば、遊技制御用マイクロコンピュータ１００におけるステップＳ１１４〜Ｓ１１７を実行する部分）とを備え、第１表示領域において特定表示結果が導出表示されて有利状態に制御される場合と第２表示領域において特定表示結果が導出表示されて有利状態に制御される場合とで、有利度合いが異なる（例えば、分割領域内の端部領域において大当り図柄が確定表示される場合には、分割領域全体で大当り図柄が確定表示される場合と比較して、確変大当りとなることに対する期待度（確変期待度）が高い）、
ことを特徴としてもよい。そのような構成によれば、可変表示の表示結果を導出表示する場合の演出効果を高めることができる。
【手続補正書】
【提出日】令和1年6月6日(2019.6.6)
【手続補正２】
【補正対象書類名】手続補正書
【補正対象項目名】手続補正５
【補正方法】変更
【補正の内容】
【手続補正５】
【補正対象書類名】特許請求の範囲
【補正対象項目名】請求項１
【補正方法】変更
【補正の内容】
【請求項１】
本発明の抗ガン機能を持つ清涼飲料水は、食品添加物であるクエン酸ナトリウム、食品物質であるパイナップル、垂盆草を構成材料として製造する抗ガン機能を持つ清涼飲料水であり、クエン酸ナトリウムで弱アルカリ性の身体を維持する、垂盆草の有効成分サルメントシンで肝臓を修復しγＧＴＰ値を下げ肝臓を活性し血流を改善、植物酵素によって栄養素を身体各部位へ触媒し栄養を充足して抗ガン機能を持つ事を特徴とする。
【手続補正書】
【提出日】令和1年7月16日(2019.7.16)
【手続補正１】
【補正対象書類名】特許請求の範囲
【補正対象項目名】全文
【補正方法】変更
【補正の内容】
【特許請求の範囲】
【請求項１】
遊技者が操作可能な操作手段を備えた遊技機であって、
遊技者にとって有利な有利状態に制御可能であり、
前記有利状態中に遊技者の操作によって複数種類の項目の中から１の項目が選択可能とされ、選択された項目にそれぞれ対応した演出を実行可能とする選択演出を実行可能であり、
特定条件が成立して前記有利状態に制御されたときは、該有利状態中において、前記選択演出を実行することなく、前記特定条件に応じた特定演出を実行し、
前記特定条件は複数種類設けられており、成立した前記特定条件に応じた前記特定演出を実行することを特徴とする遊技機。
【手続補正２】
【補正対象書類名】明細書
【補正対象項目名】０００６
【補正方法】変更
【補正の内容】
【０００６】
（１）本発明に係る遊技機は、遊技者が操作可能な操作手段を備えた遊技機（例えば、パチンコ遊技機１等）であって、遊技者にとって有利な有利状態（例えば、大当り遊技状態等）に制御可能であり、前記有利状態中に遊技者の操作（例えば、プッシュボタン３１Ｂやスティックコントローラ３１Ａの操作等）によって複数種類の項目の中から１の項目が選択可能（例えば、複数種類の楽曲「楽曲Ａ１」〜「楽曲Ａ７」の中から１の楽曲が遊技者によって選択可能等）とされ、選択された項目にそれぞれ対応した演出を実行可能とする選択演出を実行可能であり（例えば、選択された楽曲が「楽曲Ａ１」であるときに、「楽曲Ａ１」の映像及び演奏を出力可能である等）、特定条件が成立して前記有利状態に制御されたとき（例えば、「ＷＡリーチ」（特別楽曲リーチ）が実行されて大当り遊技状態に制御されたとき等）は、該有利状態中において、前記選択演出を実行することなく、前記特定条件に応じた特定演出を実行し（例えば、大当り開始時の楽曲選択画面を表示することなく、「楽曲ＷＡ」の映像及び演奏を出力する等）、前記特定条件は複数種類設けられており（例えば、「ＷＡリーチ」「ＷＢリーチ」「ＷＣリーチ」の３種類のいずれかが実行されて大当り遊技状態に制御される等）、成立した前記特定条件に応じた前記特定演出を実行する（例えば、「ＷＡリーチ」が実行されて大当り遊技状態に制御されたときには、「ＷＡリーチ」に応じた「楽曲ＷＡ」の映像及び演奏を出力する等）ことを特徴とする。
【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
可変表示に関する情報を保留記憶情報として記憶する保留記憶手段と、
遊技者にとっての有利度が異なる複数の設定値のうちいずれかの設定値に設定可能な設定手段と、
設定変更許可操作にもとづいて前記設定手段による設定値の変更を許可する変更許可状態に制御可能な設定制御手段と、
可変表示の表示結果と保留記憶情報とを含む遊技に関する遊技関連情報を複数表示する情報表示手段と、を備え、
停電復旧操作がされた場合、該停電復旧操作前に表示されていたうちの全ての前記遊技関連情報が表示され、
前記設定変更許可操作がされた場合、前記変更許可状態の終了後に可変表示の表示結果として前記停電復旧操作後に表示される前記遊技関連情報と共通の内容が表示可能である一方で、前記変更許可状態の終了後に該設定変更許可操作前に記憶されていた保留記憶情報が表示されない
ことを特徴とする遊技機。
【手続補正２】
【補正対象書類名】明細書
【補正対象項目名】０００２
【補正方法】変更
【補正の内容】
【０００２】
設定値を設定可能なパチンコ遊技機として、例えば、特許文献１に記載されているものが提案されている。特許文献１に記載の遊技機では、設定変更処理を行ったときに、設定値以外の記憶内容をクリアするようになっている。
【手続補正３】
【補正対象書類名】明細書
【補正対象項目名】０００３
【補正方法】変更
【補正の内容】
【０００３】
【特許文献１】特開２０１０−２００９０２号公報
【手続補正４】
【補正対象書類名】明細書
【補正対象項目名】０００４
【補正方法】変更
【補正の内容】
【０００４】
特許文献１に記載されたような遊技機において、設定変更時に保持されていた情報の扱いに関して改善の余地があった。
【手続補正５】
【補正対象書類名】明細書
【補正対象項目名】０００５
【補正方法】変更
【補正の内容】
【０００５】
この発明は、上記の実状に鑑みてなされたものであり、設定変更時に情報を好適に保持して、設定変更の有無の判別を困難にした遊技機を提供することを目的とする。
【手続補正６】
【補正対象書類名】明細書
【補正対象項目名】０００６
【補正方法】変更
【補正の内容】
【０００６】
（１）上記目的を達成するため、本願発明に係る遊技機は、
可変表示を行い、遊技者にとって有利な有利状態（例えば大当り遊技状態など）に制御可能な遊技機（例えばパチンコ遊技機１など）であって、
可変表示に関する情報を保留記憶情報として記憶する保留記憶手段と、
遊技者にとっての有利度が異なる複数の設定値のうちいずれかの設定値（例えば設定値１〜３のいずれかなど）に設定可能な設定手段（例えばステップＳａ１３の設定変更処理を実行するＣＰＵ１０３など）と、
設定変更許可操作にもとづいて前記設定手段による設定値の変更を許可する変更許可状態に制御可能な設定制御手段（例えばステップＳａ６、Ｓａ１２を実行するＣＰＵ１０３など）と、
可変表示の表示結果と保留記憶情報とを含む遊技に関する遊技関連情報を複数表示する情報表示手段（例えば情報表示装置１０９ＡＫ００１）と、を備え、
停電復旧操作がされた場合、該停電復旧操作前に表示されていたうちの全ての前記遊技関連情報が表示され（例えば図２２−３、図２２−４）、
前記設定変更許可操作がされた場合、前記変更許可状態の終了後に可変表示の表示結果として前記停電復旧操作後に表示される前記遊技関連情報と共通の内容が表示可能である一方で、前記変更許可状態の終了後に該設定変更許可操作前に記憶されていた保留記憶情報が表示されない（例えば図２２−６）。
このような構成によれば、設定変更の有無の判別を困難にすることができる。
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】変更
【補正の内容】
【０００８】
（３）上記（１）または（２）の遊技機において、
初期化操作がされた場合と、前記設定変更許可操作にもとづいて前記変更許可状態に制御された場合と、で記憶領域の初期化範囲が異なる初期化処理を実行可能である（例えば図２２−２）ようにしてもよい。
このような構成によれば、状況に応じた適切な初期化処理を実行できる。
【手続補正９】
【補正対象書類名】明細書
【補正対象項目名】０００９
【補正方法】変更
【補正の内容】
【０００９】
（４）上記（１）から（３）のいずれかの遊技機において、
前記変更許可状態が終了した後に表示される前記遊技関連情報は、特別図柄及び普通図柄の表示結果を含むようにしてもよい。
このような構成によれば、設定変更の有無の判別を困難にすることができる。
【手続補正１０】
【補正対象書類名】明細書
【補正対象項目名】００１０
【補正方法】変更
【補正の内容】
【００１０】
（５）上記（１）から（４）のいずれかの遊技機において、
初期化操作がされた場合と、前記設定変更許可状態を終了した場合と、で遊技機の有利度合いは共通である（図２２−２に示すように遊技状態に関する情報はクリアされる）ようにしてもよい。
このような構成によれば、初期化操作時と設定変更時とで遊技者にとっての有利度合いの差を無くすことができる。
【手続補正１１】
【補正対象書類名】明細書
【補正対象項目名】００１１
【補正方法】変更
【補正の内容】
【００１１】
（６）上記（１）から（５）のいずれかの遊技機において、
遊技の進行を制御する遊技制御手段と、
前記遊技制御手段からの情報にもとづいて表示手段の表示制御を実行する表示制御手段と、を備え、
前記表示制御手段は、初期化操作がされた場合と、前記変更許可状態を終了した場合と、で共通の表示制御を実行するようにしてもよい。
このような構成によれば、設定変更の有無の判別を困難にすることができる。
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正書】
【提出日】令和1年7月25日(2019.7.25)
【手続補正１】
【補正対象書類名】特許請求の範囲
【補正対象項目名】全文
【補正方法】変更
【補正の内容】
【特許請求の範囲】
【請求項１】
遊技を行うことで有利状態に制御可能な遊技機であって、
所定の契機にもとづいて計数表示を更新表示可能な計数表示実行手段を備え、
前記有利状態は第１有利状態と第２有利状態とが含まれ、
前記計数表示実行手段は、前記第１有利状態において更新後の計数結果を表示するまでの期間が第１期間である第１パターンにより前記計数表示を更新表示可能であり、前記第２有利状態において更新後の計数結果を表示するまでの期間が前記第１期間よりも長い第２期間である第２パターンにより前記計数表示を更新表示可能であり、前記有利状態に制御された後に再び前記有利状態に制御された場合においても、前記計数表示の更新表示を継続する、
ことを特徴とする遊技機。
【手続補正２】
【補正対象書類名】明細書
【補正対象項目名】００１１
【補正方法】変更
【補正の内容】
【００１１】
（手段Ａ）本発明による遊技機は、遊技を行うことで有利状態に制御可能な遊技機であって、所定の契機にもとづいて計数表示を更新表示可能な計数表示実行手段を備え、前記有利状態は第１有利状態と第２有利状態とが含まれ、前記計数表示実行手段は、前記第１有利状態において更新後の計数結果を表示するまでの期間が第１期間である第１パターンにより前記計数表示を更新表示可能であり、前記第２有利状態において更新後の計数結果を表示するまでの期間が前記第１期間よりも長い第２期間である第２パターンにより前記計数表示を更新表示可能であり、前記有利状態に制御された後に再び前記有利状態に制御された場合においても、前記計数表示の更新表示を継続する、ことを特徴とする。
（手段１）他の態様の遊技機は、遊技を行うことが可能な遊技機であって、所定の契機（例えば、大入賞口や特殊入賞口２４に遊技球が入賞したこと）にもとづいて計数表示（例えば、賞球数表示）を更新表示可能な計数表示実行手段（例えば、演出制御用マイクロコンピュータ２００におけるステップＳ７０７を実行する部分）を備え、計数表示実行手段は、更新後の計数結果を表示するまでの期間が第１期間である第１パターン、および更新後の計数結果を表示するまでの期間が第１期間よりも長い第２期間である第２パターンにより、計数表示を更新表示可能である（例えば、大当りパターンで賞球数表示３００を表示する場合には、第１速度（例えば、０．１秒）で賞球数を１ずつ増加させる表示を行い、第２ＫＴパターンで賞球数表示３０５を表示する場合には、第２速度（例えば、０．５秒）で賞球数を１ずつ増加させる表示を行う）ことを特徴とする。そのような構成によれば、計数表示を更新表示するパターンを複数種類備えることにより、計数表示の更新表示を行う場合に遊技に対する興趣を向上させることができる。
【手続補正書】
【提出日】令和1年7月19日(2019.7.19)
【手続補正１】
【補正対象書類名】特許請求の範囲
【補正対象項目名】全文
【補正方法】変更
【補正の内容】
【特許請求の範囲】
【請求項１】
遊技を行い、遊技者にとって有利な有利状態に制御可能な遊技機であって、
遊技者にとっての有利度が異なる複数の設定値のうちいずれかの設定値に設定可能な設定手段と、
電力供給の開始に伴い、前記設定手段による設定値の変更を許可する変更許可状態に制御可能な設定制御手段と、
電力供給の開始に伴い、前記設定手段により設定されている設定値を確認するための設定確認状態に制御可能な設定確認制御手段と、
設定された設定値に応じて異なる割合により前記有利状態に制御するか否かを決定可能な決定手段と、
設定された設定値を示唆する特定演出を実行可能な特定演出実行手段と、
前記特定演出が実行されるタイミングを示唆する特別演出を実行可能な特別演出実行手段と、
を備え、
前記特定演出実行手段は、特定の設定値に設定されている期待度が異なる複数種類の前記特定演出を実行可能であり、
前記変更許可状態の制御に関する報知と、前記設定確認状態の制御に関する報知とで共通の音量により報知音が出力される
ことを特徴とする遊技機。
【手続補正２】
【補正対象書類名】明細書
【補正対象項目名】０００２
【補正方法】変更
【補正の内容】
【０００２】
複数段階の設定値を操作に基づいて変更し、大当り確率を変更後の設定値に対応する値に設定すると共に、変更前後の設定値に応じてキリン、ゾウ、ライオンのいずれかのキャラクタ画像を表示することによって、変更前後の設定値に関する示唆を行う遊技機が提案されている（例えば特許文献１参照）。
【手続補正３】
【補正対象書類名】明細書
【補正対象項目名】０００３
【補正方法】変更
【補正の内容】
【０００３】
【特許文献１】特開２０１０−２００９０２号公報
【手続補正４】
【補正対象書類名】明細書
【補正対象項目名】０００４
【補正方法】変更
【補正の内容】
【０００４】
特許文献１に記載されたような遊技機において、遊技の興趣を向上させることが望まれる。
【手続補正５】
【補正対象書類名】明細書
【補正対象項目名】０００５
【補正方法】変更
【補正の内容】
【０００５】
この発明は、上記の実状に鑑みてなされたものであり、遊技の興趣を向上させた遊技機を提供することを目的とする。
【手続補正６】
【補正対象書類名】明細書
【補正対象項目名】０００６
【補正方法】変更
【補正の内容】
【０００６】
（Ａ）上記目的を達成するため、本願発明に係る遊技機は、
遊技を行い、遊技者にとって有利な有利状態（例えば大当り遊技状態）に制御可能な遊技機（例えばパチンコ遊技機１）であって、
遊技者にとっての有利度が異なる複数の設定値のうちいずれかの設定値（例えば設定値１〜３のいずれか）に設定可能な設定手段（例えばステップＳａ１３の設定変更処理を実行するＣＰＵ１０３）と、
電力供給の開始に伴い、前記設定手段による設定値の変更を許可する変更許可状態に制御可能な設定制御手段（例えばステップＳａ６、Ｓａ１２を実行するＣＰＵ１０３）と、
電力供給の開始に伴い、前記設定手段により設定されている設定値を確認するための設定確認状態に制御可能な設定確認制御手段（例えばステップＡＫＳ００１、ＡＫＳ００２を実行するＣＰＵ１０３）と、
設定された設定値に応じて異なる割合により前記有利状態に制御するか否かを決定可能な決定手段（例えばステップＳ２５の特別図柄プロセス処理を実行するＣＰＵ１０３）と、
設定された設定値を示唆する特定演出（例えば設定示唆演出）を実行可能な特定演出実行手段（例えばステップ１００ＡＫＳ３０４、１００ＡＫＳ３０９、１００ＡＫＳ３１５の処理を実行する演出制御用ＣＰＵ１２０）と、
前記特定演出が実行されるタイミングを示唆する特別演出（例えばタイミング示唆演出、説明演出など）を実行可能な特別演出実行手段（例えばステップ１００ＡＫＳ２０６の処理を実行する演出制御用ＣＰＵ１２０など）と、
を備え、
前記特定演出実行手段は、特定の設定値に設定されている期待度が異なる複数種類の前記特定演出を実行可能であり、
前記変更許可状態の制御に関する報知と、前記設定確認状態の制御に関する報知とで共通の音量により報知音が出力される（例えば設定変更中報知及び設定確認中報知が最大音量により出力される）。
このような構成によれば、特定演出が実行されるタイミングを遊技者が特別演出に基づいて認識することを可能にし、遊技の興趣を向上させると共に、遊技機の稼働率の向上を図ることができる。
また、従来の遊技機として、特開２０１６−１０１４２８号公報で示されているような、リーチ演出の開始時に、リーチ演出の種類を報知するタイトル表示を行う遊技機がある。このような遊技機において、さらに演出効果を高めることが望まれている。
（１）上記目的を達成するため、他の態様に係る遊技機は、
遊技者にとって有利な有利状態（例えば大当り遊技状態）に制御可能な遊技機（例えばパチンコ遊技機１）であって、
前記有利状態に制御されることを示唆する示唆演出（例えばリーチ演出）を実行可能な示唆演出実行手段（例えば演出制御用ＣＰＵ１２０）と、
前記示唆演出に対応したタイトルを報知可能なタイトル報知手段（例えば演出制御用ＣＰＵ１２０）と、を備え、
前記タイトル報知手段は、前記示唆演出の開始から所定期間経過したときに当該示唆演出に対応したタイトルを報知可能である（例えば図９（Ｄ）、（Ｆ））。
このような構成によれば、演出効果を高めることができる。
【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
遊技を行い、遊技者にとって有利な有利状態に制御可能な遊技機であって、
遊技者にとっての有利度が異なる複数の設定値のうちいずれかの設定値に設定可能な設定手段と、
設定された設定値に応じて異なる割合により前記有利状態に制御するか否かを決定可能な決定手段と、
設定された設定値を示唆する特定演出を実行可能な特定演出実行手段と、
前記特定演出が実行されるタイミングを示唆する特別演出を実行可能な特別演出実行手段と、
を備え、
前記特定演出の演出態様が複数あり、
前記特定演出の演出態様によって、複数の設定値のうち遊技者にとっての有利度が高い設定値であることに対する期待度が異なる
ことを特徴とする遊技機。
【手続補正２】
【補正対象書類名】明細書
【補正対象項目名】０００２
【補正方法】変更
【補正の内容】
【０００２】
複数段階の設定値を操作に基づいて変更し、大当り確率を変更後の設定値に対応する値に設定すると共に、変更前後の設定値に応じてキリン、ゾウ、ライオンのいずれかのキャラクタ画像を表示することによって、変更前後の設定値に関する示唆を行う遊技機が提案されている（例えば特許文献１参照）。
【手続補正３】
【補正対象書類名】明細書
【補正対象項目名】０００３
【補正方法】変更
【補正の内容】
【０００３】
【特許文献１】特開２０１０−２００９０２号公報
【手続補正４】
【補正対象書類名】明細書
【補正対象項目名】０００４
【補正方法】変更
【補正の内容】
【０００４】
特許文献１に記載されたような遊技機において、遊技の興趣を向上させることが望まれる。
【手続補正５】
【補正対象書類名】明細書
【補正対象項目名】０００５
【補正方法】変更
【補正の内容】
【０００５】
この発明は、上記の実状に鑑みてなされたものであり、遊技の興趣を向上させた遊技機を提供することを目的とする。
【手続補正６】
【補正対象書類名】明細書
【補正対象項目名】０００６
【補正方法】変更
【補正の内容】
【０００６】
（１）上記目的を達成するため、本願発明に係る遊技機は、
遊技を行い、遊技者にとって有利な有利状態（例えば大当り遊技状態）に制御可能な遊技機（例えばパチンコ遊技機１）であって、
遊技者にとっての有利度が異なる複数の設定値のうちいずれかの設定値（例えば設定値１〜３のいずれかなど）に設定可能な設定手段（例えばステップＳａ１３の設定変更処理を実行するＣＰＵ１０３など）と、
設定された設定値に応じて異なる割合により前記有利状態に制御するか否かを決定可能な決定手段（例えばステップＳ２５の特別図柄プロセス処理を実行するＣＰＵ１０３など）と、
設定された設定値を示唆する特定演出（例えば設定示唆演出など）を実行可能な特定演出実行手段（例えばステップ１００ＡＫＳ３０４、１００ＡＫＳ３０９、１００ＡＫＳ３１５の処理を実行する演出制御用ＣＰＵ１２０など）と、
前記特定演出が実行されるタイミングを示唆する特別演出（例えばタイミング示唆演出、説明演出など）を実行可能な特別演出実行手段（例えばステップ１００ＡＫＳ２０６の処理を実行する演出制御用ＣＰＵ１２０など）と、
を備え、
前記特定演出の演出態様が複数あり、
前記特定演出の演出態様によって、複数の設定値のうち遊技者にとっての有利度が高い設定値であることに対する期待度が異なる（演出Ｅの期待度は演出Ｄの期待度よりも高く、演出Ｄの期待度は演出Ｃの期待度よりも高く、演出Ｃの期待度は演出Ｂの期待度よりも高く、演出Ｂの期待度は演出Ａの期待度よりも高い。期待度とは最も有利な設定値１に設定されている場合に当該演出が実行される割合である。）
ことを特徴とする。
このような構成によれば、特定演出が実行されるタイミングを遊技者が特別演出に基づいて認識することを可能にし、特定演出に対する遊技者の注目度合いが高まるので、遊技の興趣を向上させると共に、遊技機の稼働率の向上を図ることができる。
また、本願の他の発明に係る遊技機は、
遊技者にとって有利な有利状態（例えば大当り遊技状態）に制御可能な遊技機（例えばパチンコ遊技機１）であって、
前記有利状態に制御されることを示唆する示唆演出（例えばリーチ演出）を実行可能な示唆演出実行手段（例えば演出制御用ＣＰＵ１２０）と、
前記示唆演出に対応したタイトルを報知可能なタイトル報知手段（例えば演出制御用ＣＰＵ１２０）と、を備え、
前記タイトル報知手段は、前記示唆演出の開始から所定期間経過したときに当該示唆演出に対応したタイトルを報知可能である（例えば図９（Ｄ）、（Ｆ））。
このような構成によれば、演出効果を高めることができる。